(57)【要約】【課題】  万有引力はどうしてできるか。【解決手段】  １原子によってできる万有引力は１．６３３７６×１０−３１Ｊです。本発明者は２００５年２月２２日提出した「電子の中の軌道」において、電子の中の、１０−９ｍの磁気の光子の軌道エネルギーは、２．１４３×１０−３１Ｊであると記した。それで、電子の中で、１０−９ｍの磁気の光子の軌道エネルギーの式は、１０−９ｍ×２．１４３×１０−３１Ｊ÷軌道又はエネルギー＝２．１４３×１０−４０Ｊ÷軌道又はエネルギー  である。万有引力と成っている１．６３３７６×１０−３１Ｊの磁気の光子の軌道は、２．１４３×１０−４０Ｊ÷１．６３３７６×１０−３１Ｊ≒１．３×１０−９ｍです。この事により、万有引力は電子の外側の磁気の光子のエネルギーであると理解できる。【選択図】  図２
2005269896.tif 000002
【特許請求の範囲】
【請求項１】
電子の中の、磁気の光子の軌道エネルギーの式はどのようになっているか。
本発明者は２００５年２月２２日提出した「電子の中の軌道」において、電子の中の、軌道に於ける磁気の光子の軌道エネルギーを記した。それは次のようである。
2005269896.tif 000005
この事から、
１０−１２ｍの軌道では、磁気の光子の軌道エネルギーは１．２５×１０−２１Ｊですから、
１０−１２ｍの磁気の光子の軌道エネルギーの式は、
１０−１２ｍ×１．２５×１０−２１Ｊ÷軌道又はエネルギー＝１．２５×１０−３３Ｊ・ｍ÷軌道又はエネルギーです。
１０−１１ｍの磁気の光子の軌道エネルギーの式は、
１０−１１ｍ×６．９４４×１０−２４Ｊ÷軌道又はエネルギー＝６．９４４×１０−３５Ｊ・ｍ÷軌道又はエネルギーです。
１０−１０ｍの磁気の光子の軌道エネルギーの式は、
１０−１０ｍ×３．８５７７×１０−２７Ｊ÷軌道又はエネルギー＝３．８５７７×１０−３７Ｊ・ｍ÷軌道又はエネルギーです。
１０−９ｍの磁気の光子の軌道エネルギーの式は、
１０−９ｍ×２．１４３×１０−３１Ｊ÷軌道又はエネルギー＝２．１４３×１０−４０Ｊ・ｍ÷軌道又はエネルギーです。
１０−８ｍの磁気の光子の軌道エネルギーの式は、
１０−８ｍ×１．１９×１０−３６Ｊ÷軌道又はエネルギー＝１．１９×１０−４４Ｊ・ｍ÷軌道又はエネルギーです。
これは、磁気の光子が１０１６個束になっている電子の中の、磁気の光子の軌道エネルギーの式です。
これは、Ｌ系α１とＬ系α２の軌道差によって求めた、５×１０−１３ｍで、エネルギーは１／１０に成る事を基準にし、求めた軌道エネルギーによるものです。
【請求項２】
電子の中の、電気の光子の軌道エネルギーの式はどのようになっているか。
本発明者は２００５年２月２２日提出した「電子の中の軌道」において、電子の中の、軌道に於ける電気の光子の軌道エネルギーを記した。それは次のようである。
2005269896.tif 000006
2005269896.tif 000007
この事から、
１０−１２ｍの軌道では、電気の光子の軌道エネルギーは１０−１３Ｊですから、
１０−１２ｍの電気の光子の軌道エネルギーの式は、
１０−１２ｍ×１０−１３Ｊ÷軌道又はエネルギー＝１０−２５Ｊ・ｍ÷軌道又はエネルギーです。
１．２５×１０−１２ｍの電気の光子の軌道エネルギーの式は、
２５×１０−１２ｍ×８×１０−１４Ｊ÷軌道又はエネルギー＝１０−２５Ｊ・ｍ÷軌道又はエネルギーです。
１０−１１ｍの電気の光子の軌道エネルギーの式は、
１０−１１ｍ×５．５５５×１０−１６Ｊ÷軌道又はエネルギー＝５．５５５×１０−２７Ｊ・ｍ÷軌道又はエネルギーです。
１０−１０ｍの電気の光子の軌道エネルギーの式は、
１０−１０ｍ×３．０８６×１０−１９Ｊ÷軌道又はエネルギー＝３．０８６×１０−２９Ｊ・ｍ÷軌道又はエネルギーです。
１０−９ｍの電気の光子の軌道エネルギーの式は、
１０−９ｍ×１．７１４×１０−２３Ｊ÷軌道又はエネルギー＝１．７１４×１０−３２Ｊ・ｍ÷軌道又はエネルギーです。
１０−８ｍの電気の光子の軌道エネルギーの式は、
１０−８ｍ×９．５２×１０−２９Ｊ÷軌道又はエネルギー＝９．５２×１０−３７Ｊ・ｍ÷軌道又はエネルギーです。
【請求項３】
万有引力は原子の中の、電子のどの軌道のエネルギーであるか。
本発明者は２００５年２月２２日提出した「電子の中の軌道」において、電子の中の、軌道に於ける磁気の光子の軌道エネルギーを記した。
１０−９ｍの軌道エネルギーは、２．１４３×１０−３１Ｊです。
１原子によってできる万有引力は１．６３３７６×１０−３１Ｊです。
１．６３３７６×１０−３１Ｊの軌道は、
１０−９ｍの磁気の光子の軌道エネルギーの式は、２．１４３×１０−４０Ｊ・ｍ÷軌道又はエネルギーですから、
２．１４３×１０−４０Ｊ・ｍ÷１．６３３７６×１０−３１Ｊ＝１．３１×１０−９ｍです。
この事によって、万有引力は電子の外側をクロス回転している磁気の光子によってできることが理解できる。
【請求項４】
電子の中の電気の光子がはみ出さず、きれいに回転できるのはなぜか。
磁気の光子が電気の光子をクロス回転することにより、磁気の光子は電気の光子を抱え込むように回転するので、電気の光子ははみださない。
電子の中で、電気の光子（Ｘ線）が軌道をはみ出さない理由は、磁気の光子が電気の光子の軌道と軌道の間をクロス回転しているからです。
【請求項５】
ボーア磁子は９．２７４×１０−２４Ｊです。この磁気の光子の軌道はどれ位か。
６．９４４×１０−２４Ｊの磁気の光子の軌道は、１０−１１Ｊですから、この磁気の光子の軌道エネルギーの式は、６．９４４×１０−３５Ｊ・ｍ÷軌道又はエネルギーです。
それで、ボーア磁子である９．２７４×１０−２４Ｊの軌道は、
６．９４４×１０−３５Ｊ・ｍ÷（９．２７４×１０−２４Ｊ）＝７．４８８×１０−１０ｍです。
この半径は、３．７４４×１０−１０ｍです。
【発明の詳細な説明】
【技術分野】
【０００１】  この発明は万有引力とは何かに関する。そして電子の中の、軌道エネルギーに関する。
【背景技術】
【０００１】  １原子によってできる万有引力は１．６３３７６×１０−３１Ｊです。
この万有引力は何によってできるの知られていない。
【本発明が解決しようとしている課題】
１．電子の中の、磁気の光子の軌道エネルギーの式はどのようになっているか。
２．電子の中の、電気の光子の軌道エネルギーの式はどのようになっているか。
３．万有引力は原子の中の、電子のどの軌道の磁気の光子のエネルギーであるか。
４．電子の中の、電気の光子がはみ出さず、整然と軌道を回転できるのはなぜか。
【課題を解決するための手段】
【０００４】  本発明者は２００５年２月２２日に特許出願した「電子の軌道」が理解できた事によって、外側を回転している磁気の光子が万有引力である事に気づいた。
電子の中で、軌道によって、軌道エネルギーの式は異なる。
軌道によって、電気の光子の軌道エネルギーの式と、磁気の光子の軌道エネルギーの式は異なる。
磁気の光子が電気の光子をクロス回転することによって、電気の光子は、はみだすことなく整然と回転することができる。
【発明の実施態様】
【０００５】１．電子の中の、磁気の光子の軌道エネルギーの式はどのようになっているか。（図１）本発明者は２００５年２月２２日提出した「電子の中の軌道」において、電子の中の、軌道に於ける磁気の光子の軌道エネルギーを記した。それは次のようである。
2005269896.tif 000003
この事から、
１０−１２ｍの軌道では、磁気の光子の軌道エネルギーは１．２５×１０−２１Ｊですから、
１０−１２ｍの磁気の光子の軌道エネルギーの式は、
１０−１２ｍ×１．２５×１０−２１Ｊ÷軌道又はエネルギー＝１．２５×１０−３３Ｊ・ｍ÷軌道又はエネルギーです。
１０−１１ｍの磁気の光子の軌道エネルギーの式は、
１０−１１ｍ×６．９４４×１０−２４Ｊ÷軌道又はエネルギー＝６．９４４×１０−３５Ｊ・ｍ÷軌道又はエネルギーです。
１０−１０ｍの磁気の光子の軌道エネルギーの式は、
１０−１０ｍ×３．８５７７×１０−２７Ｊ÷軌道又はエネルギー＝３．８５７７×１０−３７Ｊ・ｍ÷軌道又はエネルギーです。
１０−９ｍの磁気の光子の軌道エネルギーの式は、
１０−９ｍ×２．１４３×１０−３１Ｊ÷軌道又はエネルギー＝２．１４３×１０−４０Ｊ・ｍ÷軌道又はエネルギーです。
１０−８ｍの磁気の光子の軌道エネルギーの式は、
１０−８ｍ×１．１９×１０−３６Ｊ÷軌道又はエネルギー＝１．１９×１０−４４Ｊ・ｍ÷軌道又はエネルギーです。
これは、磁気の光子が１０１６個束になっている電子の中の、磁気の光子の軌道エネルギーの式です。
これは、Ｌ系α１とＬ系α２の軌道差によって求めた、５×１０−１３ｍで、エネルギーは１／１０に成る事を基準にし、求めた軌道エネルギーによるものです。
２．電子の中の、電気の光子の軌道エネルギーの式はどのようになっているか。（図１）
本発明者は２００５年２月２２日提出した「電子の中の軌道」において、電子の中の、軌道に於ける電気の光子の軌道エネルギーを記した。それは次のようである。
2005269896.tif 000004
この事から、
１０−１２ｍの軌道では、電気の光子の軌道エネルギーは１０−１３Ｊですから、
１０−１２ｍの電気の光子の軌道エネルギーの式は、
１０−１２ｍ×１０−１３Ｊ÷軌道又はエネルギー＝１０−２５Ｊ・ｍ÷軌道又はエネルギーです。
１．２５×１０−１２ｍの電気の光子の軌道エネルギーの式は、
１．２５×１０−１２ｍ×８×１０−１４Ｊ÷軌道又はエネルギー＝１０−２５Ｊ・ｍ÷軌道又はエネルギーです。１０−１１ｍの電気の光子の軌道エネルギーの式は、
１０−１１ｍ×５．５５５×１０−１６Ｊ÷軌道又はエネルギー＝５．５５５×１０−２７Ｊ・ｍ÷軌道又はエネルギーです。
１０−１０ｍの電気の光子の軌道エネルギーの式は、
１０−１０ｍ×３．０８６×１０−１９Ｊ÷軌道又はエネルギー＝３．０８６×１０−２９Ｊ・ｍ÷軌道又はエネルギーです。
１０−９ｍの電気の光子の軌道エネルギーの式は、
１０−９ｍ×１．７１４×１０−２３Ｊ÷軌道又はエネルギー＝１．７１４×１０−３２Ｊ・ｍ÷軌道又はエネルギーです。
１０−８ｍの電気の光子の軌道エネルギーの式は、
１０−８ｍ×９．５２×１０−２９Ｊ÷軌道又はエネルギー＝９．５２×１０−３７Ｊ・ｍ÷軌道又はエネルギーです。
３．万有引力は原子の中の、電子のどの軌道のエネルギーであるか。（図２）
本発明者は２００５年２月２２日提出した「電子の中の軌道」において、電子の中の、軌道に於ける磁気の光子の軌道エネルギーを記した。
１０−９ｍの軌道エネルギーは、２．１４３×１０−３１Ｊです。
１原子によってできる万有引力は１．６３３７６×１０−３１Ｊです。
１．６３３７６×１０−３１Ｊの軌道は、
１０−９ｍの磁気の光子の軌道エネルギーの式は、２．１４３×１０−４０Ｊ・ｍ÷軌道又はエネルギーですから、
２．１４３×１０−４０Ｊ・ｍ÷１．６３３７６×１０−３１Ｊ＝１．３１×１０−９ｍです。
この事によって、万有引力は電子の外側をクロス回転している磁気の光子によってできることが理解できる。
４．電子の中の電気の光子がはみ出さず、整然と軌道を回転できるのはなぜか。（図３）
磁気の光子が電気の光子をクロス回転することにより、磁気の光子は電気の光子を抱え込むように回転するので、電気の光子は軌道をはみださず、整然と軌道を回転できる。
電子の中で、電気の光子（Ｘ線）が軌道をはみ出さない理由は、磁気の光子が電気の光子の軌道と軌道の間をクロス回転しているからです。
５．ボーア磁子は９．２７４×１０−２４Ｊです。この磁気の光子の軌道はどれ位か。
６．９４４×１０−２４Ｊの磁気の光子の軌道は、１０−１１Ｊですから、この磁気の光子の軌道エネルギーの式は、６．９４４×１０−３５Ｊ・ｍ÷軌道又はエネルギーです。
それで、ボーア磁子である９．２７４×１０−２４Ｊの軌道は、
６．９４４×１０−３５Ｊ・ｍ÷（９．２７４×１０−２４Ｊ）＝７．４８８×１０−１０ｍです。
この半径は、３．７４４×１０−１０ｍです。
【発明の効果】
【０００６】電子の中の磁気の光子の軌道エネルギーを知る事によって、万有引力は電子の外側の磁気の光子である事を理解できた。
磁気の光子がクロス回転することによって、電気の光子は、はみ出すことなく整然と、軌道を回転できる事を理解できた。
今まで求めてきた電気の光子の軌道エネルギーや磁気の光子の軌道エネルギーは、電子の１０−１２ｍの軌道エネルギーの式である事を理解できた。
【図面の簡単な説明】
【図１】  電子の中の、電気の光子の軌道エネルギーの式と、磁気の光子の軌道エネルギーの式。
【図２】  万有引力を作る電子の外側の磁気の光子の軌道。
【図３】  電子の中で、電気の光子（Ｘ線）が軌道をはみ出さない理由は、磁気の光子が電気の光子の軌道と軌道の間をクロス回転しているからです。
【符号の説明】
１  電子のラブ      ２  電気の光子の軌道      ３  磁気の光子の軌道
４  軌道に於ける電気の光子の軌道エネルギーの式
５  軌道に於ける磁気の光子の軌道エネルギーの式
６  万有引力を作る電子の外側の磁気の光子の軌道
【図１】
2005269896.tif 000008
【図２】
2005269896.tif 000009
【図３】
2005269896.tif 000010